(57)【要約】【課題】シャッター施錠装置の中継レバーと解錠兼用開閉操作レバーの係合ピンとによる擦音を防止するとともに、長期間使用しても耐久性が低下せず、前記解錠兼用開閉操作レバーの操作性を維持する。【解決手段】シャッター枠４に固定された錠掛り５と、前記錠掛り５に対する係合／解除により施・解錠を成し、上方向への移動操作により解錠を行い得る中継レバー１２ｂを巾木２の室内面側に延在させたシャッター用解錠装置本体３と、巾木２の長手方向に沿う長尺の部材であって、両端部にそれぞれ前記中継レバー１２ｂに係合する係合ピン２２を備えた解錠兼用開閉操作レバー６とから構成されるシャッター用施錠装置１において、前記中継レバー１２ｂに切欠き溝１２ｄを設けるとともに、挿入時に自動的に前記切欠き溝１２ｄに抜脱不能に係止される抜止め係止部２３ｆを備えた合成樹脂素材からなる接当用保護ピース２３を前記中継レバー１２ｂに取り付ける。【選択図】図１
2004211447.tif 000002
【特許請求の範囲】
【請求項１】
シャッター枠に固定された錠掛りと、シャッター最下端の巾木両端部にそれぞれ配設されるとともに、前記錠掛りに対する係合または係合解除により施・解錠を成し、上方向への移動操作により解錠を行い得る中継レバーを前記巾木の室内面側に延在させたシャッター用解錠装置本体と、前記巾木の室内面側に設けられるとともに、巾木の長手方向に沿う長尺の部材であって、両端部にそれぞれ前記中継レバーに係合する係合ピンを備えた解錠兼用開閉操作レバーとから構成されるシャッター用施錠装置において、
前記中継レバーに切欠き溝を設けるとともに、挿入時に自動的に前記切欠き溝に抜脱不能に係止される抜止め係止部を備えた合成樹脂素材からなる接当用保護ピースを前記中継レバーに取り付けたことを特徴とするシャッター用施錠装置。
【請求項２】
前記切欠き溝は前記中継レバーの上縁側に設けられ、前記接当用保護ピースは前記切欠き溝の対応部位において、前記抜止め係止部が前記中継レバーの挿入先端側より挿入基端側へ向けて斜め下方向に突出して形成され、係止状態において先端が前記切欠き溝内に係合する係止片とされる請求項１記載のシャッター用施錠装置。
【請求項３】
前記接当用保護ピースの素材が、特に高密度ポリエチレン、ポリプロピレン、ポリアミド、ポリアセタールなどの耐摩耗性樹脂である請求項１または２記載のシャッター用施錠装置。
【発明の詳細な説明】
【０００１】
【発明の属する技術分野】
本発明は、風雨除けや防犯などのために住宅用サッシなど屋外面に取り付けられるシャッターの施錠装置に関する。
【０００２】
【従来の技術】
住宅用サッシなどには、風雨除けや防犯などのためにシャッターが取り付けられている。前記シャッターは、窓の上部位置に窓枠と一体的に、または別体でシャッターボックスを設けると共に、この内部に巻き回転方向に付勢された収納用ドラムを配設し、スラットと呼ばれる横方向に長尺のシャッター板を縦方向にヒンジ連結したシャッターを巻上げ収納可能としたものである。
【０００３】
前記シャッターの多くは、最下端部のエンドスラットの中央位置にシャッター施錠装置を備え、人力または動力によってシャッターを閉めた際に自動的に施錠が成され、室内側から操作される解除レバーによって解錠が成されるようになっている。
【０００４】
しかし、このようなシャッター装置の場合には、シャッターを開ける際にエンドスラットのほぼ中央に配置されているシャッター装置を解錠操作するために、一方側の障子をほぼ全開としなければならず、解錠操作が煩わしいなどの問題があるとともに、解錠からシャッター開放操作までを一連操作により円滑に行うことができないなどの問題があった。
【０００５】
このような問題に対処するため、本出願人は下記特許文献１において、図１０に示されるようなシャッター用施錠装置３０を提案した。前記シャッター用施錠装置３０は、シャッター最下端の巾木３１の両端部にそれぞれ、シャッター側枠３３に固定された錠掛り３４に対する係合または係合解除により解錠を行い得る中継レバー３６を前記巾木３１の室内面側に延在させたシャッター施錠装置本体３２を配設するとともに、前記巾木３１の室内面側に、巾木３１の長手方向に沿う長尺の部材であって、上縁部を回転中心として揺動自在とされ、両端部にそれぞれ前記中継レバー３６の下面側に係合する係合ピン３７を備えた解錠兼用開閉操作レバー３５を設けることにより、シャッター幅内のいずれの場所からでも解錠操作を行うことができるようにするとともに、手を持ち替えることなく、解錠からシャッター開放までを一連操作によって行えるようにしたものである。前記シャッター用施錠装置３０の具体的な構造については、後述の〔発明の実施形態〕の項で詳述することとする。
【０００６】
【特許文献１】
特開２００２−２２７５７１号公報
【０００７】
【発明が解決しようとする課題】
しかしながら、前記シャッター用施錠装置３０の場合には、前記中継レバー３６の素材としてステンレススチールまたは亜鉛ダイカスト等の金属が使用され、係合ピン３７も同様にステンレススチールか亜鉛ダイカスト等の金属が使用されている。そのため、施錠時および解錠時に金属同士の接触により不快な摩擦音が発生することがある。また、かかる摩擦により、長期間使用するうちに両者の係合面において摩耗が発生し、著しく耐久性を低下させたり、前記解錠兼用開閉操作レバー３５の摩擦抵抗が大きくなり、操作性が悪くなることがあった。
【０００８】
そこで本発明の主たる課題は、上記シャッター施錠装置構造において、施錠時および解錠時における前記中継レバーと係合ピンとの擦音を防止するとともに、長期間使用しても耐久性が低下せず、前記解錠兼用開閉操作レバーの操作性を維持することができるシャッター用施錠装置を提供することにある。
【０００９】
【課題を解決するための手段】
前記課題を解決するための請求項１に係る発明として、シャッター枠に固定された錠掛りと、シャッター最下端の巾木両端部にそれぞれ配設されるとともに、前記錠掛りに対する係合または係合解除により施・解錠を成し、上方向への移動操作により解錠を行い得る中継レバーを前記巾木の室内面側に延在させたシャッター用解錠装置本体と、前記巾木の室内面側に設けられるとともに、巾木の長手方向に沿う長尺の部材であって、両端部にそれぞれ前記中継レバーに係合する係合ピンを備えた解錠兼用開閉操作レバーとから構成されるシャッター用施錠装置において、
前記中継レバーに切欠き溝を設けるとともに、挿入時に自動的に前記切欠き溝に抜脱不能に係止される抜止め係止部を備えた合成樹脂素材からなる接当用保護ピースを前記中継レバーに取り付けたことを特徴とするシャッター用施錠装置が提供される。
【００１０】
上記請求項１に係る発明によれば、合成樹脂素材からなる接当用保護ピースを前記中継レバーに取り付け、金属同士の接触を無くしたため、施錠時および解錠時における前記中継レバーと係合ピンとの擦音を防止できるとともに、長期間使用しても耐久性が低下せず、前記解錠兼用開閉操作レバーの操作性を維持することができるようになる。また、前記接当用保護ピースの取付けは、中継レバーに切欠き溝を設けておき、接当用保護ピースの中空部に中継レバーの先端を挿入した際、自動的に抜止め係止部が前記切欠き溝に係合し抜脱不能に保持されるようにしたため、取付が簡単に行えるとともに、前記接当用保護ピースが係合ピンに接触する際の振動により使用しているうちに不意に中継レバーより抜け落ちてしまう事態を完全に回避することができる。
【００１１】
請求項２に係る発明として、前記切欠き溝は前記中継レバーの上縁側に設けられ、前記接当用保護ピースは前記切欠き溝の対応部位において、前記抜止め係止部が前記中継レバーの挿入先端側より挿入基端側へ向けて斜め下方向に突出して形成され、係止状態において先端が前記切欠き溝内に係合する係止片とされる請求項１記載のシャッター用施錠装置が提供される。前記接当用保護ピースの具体的構造としては、前記中継レバーの挿入先端側より挿入基端側へ向けて斜め下方向に突出した抜止め係止部を形成しておき、接当用保護ピースの中空部に中継レバーの先端を挿入した際、前記抜止め係止部が前記切欠き溝内に自動的に係合し抜脱不能に保持する構造が望ましい。
【００１２】
請求項３に係る発明として、前記接当用保護ピースの素材が、特に高密度ポリエチレン、ポリプロピレン、ポリアミド、ポリアセタールなどの耐摩耗性樹脂である請求項１または２記載のシャッター用施錠装置が提供される。
【００１３】
【発明の実施の形態】
以下、本発明の実施の形態について図面を参照しながら詳述する。
図１は本発明に係るシャッター用施錠装置１の正面図、図２は断面図である。なお、左右上下、時計回り方向および反時計回り方向等の方向および位置表示はすべて図上での表示である。
【００１４】
シャッターは、小幅で水平方向に長い金属板材をヒンジ連結し、ロール状に巻き込み可能とした構造のもので、その下端部にはエンドスラットと呼ばれる巾木２（金属製）が設けられている。そして、前記巾木２の両端部にそれぞれシャッター施錠装置本体３が配設されるとともに、シャッター側枠４の下端部に錠掛り５が配設され、シャッターを閉めた際に前記シャッター施錠装置本体３のロック片１１が前記錠掛り５のロックピン５ａに係合し施錠を成すようになっている。
【００１５】
一方、シャッターを開放したい場合には、前記巾木２の室内側面にほぼ巾木２の長さ寸法に亘って配設されている長尺の解錠兼用開閉操作レバー６を任意の位置にて上方側に引き上げると、前記シャッター施錠装置本体３におけるロック片１１とロックピン５ａとの施錠が解かれるとともに、そのまま手を持ち替えることなく、連続してシャッターを引き上げできるようになっている。
【００１６】
以下、具体的に詳述すると、前記シャッター施錠装置本体３は、詳細には図３に示されるように、断面略逆Ｕ字状のケース１０と、このケース内に支軸１４によって揺動自在に支持されたロック片１１と、このロック片１１に対する係合によってロック片１１を施錠状態に保持するとともに、上方向への移動操作によって解錠を行い得る施錠揺動片１２と、前記ロック片１１と施錠揺動片１２との間に介在され前記ロック片１１を解錠方向（反時計回り方向）に付勢するとともに、前記施錠揺動片１２を前記ロック片１１への当接側に付勢するバネ板１３とから主に構成された施錠装置である。
【００１７】
前記ケース１０は、金属板材の折曲げ加工によって断面略逆Ｕ字状に成形された部材で、隅部に２箇所、板面を貫通する通孔１５、１５が形成され、前記巾木２の端部からシャッター施錠装置本体３を挿入した後、前記通孔１５と巾木２との間に跨って螺入される固定ビス１６によって固定されるようになっている。また、ケース１０の左側下端辺には切欠きＵ字状のロックピン嵌入溝１０ａが形成されている。また、図４に示されるように、側板間の間隔を保持するために、対面する側板間にスペーサー１０ｂが挿入されている。
【００１８】
前記ロック片１１は、支軸１４によって揺動自在に支持された部材で、相対的に下側に位置する短突片１１ａと、相対的に上側に位置する長突片１１ｂとによって後述のロックピン５ａを嵌入させるＵ字状溝１１ｃが形成されている。また、施錠揺動片１２配設側の周縁に解錠時係合段部１１ｄが形成されているとともに、施錠時係合段部１１ｅが形成され、さらに上部側にはバネ係止部１１ｆが形成されている。
【００１９】
一方、前記施錠揺動片１２は、支軸１７によって揺動自在に支持された部材で、上部側にはバネ係止部１２ｃが形成されている。また、前記ロック片配設側の周縁には、前記ロック片１１を施錠状態に保持する係合突片１２ａが形成されているとともに、ケース１０外側に延在する中継レバー１２ｂが形成されている。
【００２０】
前記中継レバー１２ｂは、後述のように、前記解錠兼用開閉操作レバー６の端面から側方に突出する係合ピン２２が係合可能なように、室内面側に屈曲されているとともに、該室内側への屈曲部分が斜め下方に向けて傾斜している。また、上縁側には凹状の切欠き溝１２ｄが設けられ、施錠時および解錠時に前記係合ピンとの擦音を防止するとともに、耐久性及び操作性を長期間維持するため、図４に示されるように、合成樹脂素材からなる接当用保護ピース２３が取り付けられている。
【００２１】
前記接当用保護ピース２３は、詳細には図６に示されるように、周囲が側壁によって囲まれるとともに、一方側端面（奥端面）に前記中継レバー１２ｂの先端が当接する端面壁２３ｂが形成され、他端側端面（開口面）に前記中継レバー１２ｂが挿入される中空状のレバー挿入部２３ａが形成された部材で、上部側には凹状の切欠き２３ｅが形成されるとともに、前記切欠き２３ｅに臨む挿入先端側の上壁２３ｃより挿入基端側に向けて斜め下方に突出した抜止め係止部２３ｆが形成されている。
【００２２】
前記接当用保護ピース２３の素材としては、基本的には合成樹脂であればどのようなものでも使用可能であるが、耐久性の点から金属との接触による摩耗が小さいものが好適に使用される。具体的には、高密度ポリエチレン、ポリプロピレン、ポリアミド、ポリアセタールなどの耐摩耗性樹脂が好適に選定される。
【００２３】
前記接当用保護ピース２３の取付けは、図７に示されるように、接当用保護ピース２３のレバー挿入部２３ａに中継レバー１２ｂの先端を挿入するようにして取り付ける。前記中継レバー１２ｂの先端を挿入すると、挿入先端側の上壁２３ｃより挿入基端側に向けて斜め下方に突出した前記抜止め係止部２３ｆが中継レバー１２ｂの切欠き溝１２ｄに自動的に係合するようになっており、係止状態では前記抜止め係止部２３ｆの先端が中継レバー１２ｂに形成された切欠き溝１２ｄの内、手前側の切欠き面１２ｅに当接することにより、前記接当用保護ピース２３が抜脱不能に保持されるようになっている。
【００２４】
他方、前記ロック片１１と施錠揺動片１２との間には、前記ロック片１１のバネ係止部１１ｆを一方端側係止部とし、かつ前記施錠揺動片１２のバネ係止部１２ｃを他方端側係止部として、円弧状に湾曲させたバネ板１３が介在されており、前記ロック片１１を支軸１４を中心として反時計回り方向（解錠方向）に付勢するようになっているとともに、前記施錠揺動片１２を支軸１７を中心として時計回り方向（ロック片１１への当接方向）に付勢するようになっている。
【００２５】
一方、シャッター側枠４の下端部に固定された錠掛り５は、背面板に形成された通孔を利用して固定ビス２０により前記シャッター側枠４に固定され、対面側の側板に向けてロックピン５ａが設けられている。
【００２６】
前記巾木２の室内面側には、巾木２の長手方向に沿う長尺の解錠兼用開閉操作レバー６が配設されている。この解錠兼用開閉操作レバー６は、図２に示されるように、上部に断面円形の上部係合ポケット孔６ａを有するとともに、下部に断面円形の下部係合ポケット孔６ｂを有し、かつ下縁に把手部６ｃを有する、巾木２のほぼ全長に亘る長さの中空形材で、巾木２の室内面側上部に、巾木２の長手方向に沿って形成された断面円形の突条２１に前記上部係合ポケット孔６ａを嵌合させるようにして取り付け、前記突条２１を回転中心として揺動自在に支持されている。また、前記下部係合ポケット孔６ｂの両端部にはそれぞれ、外方に突出する係合ピン２２が挿入支持され、シャッター施錠装置本体３の中継レバー１２ｂに取り付けられた前記接当用保護ピース２３を介して前記中継レバー１２ｂの下面側と係合するようになっている。
【００２７】
かかるシャッター施錠装置本体３において、シャッターを閉鎖する場合には、図３に示されるように、シャッターと共に巾木２を閉鎖位置まで下降させると、ロックピン５ａがケース１０のロックピン嵌入溝１０ａに侵入し、ロック片１１の長突片１１ｂに衝合する。さらにそのまま下降を続けると、図５に示されるように、ロック片１１を時計回り方向に回転させながら、ロックピン５ａが前記ロックピン嵌入溝１０ａの深部まで侵入するとともに、ロック片１１の回転に伴って施錠揺動片１２の係合突片１２ａがロック片１１の施錠時係合段部１１ｅに係合し、ロック片１１の戻りが阻止され、ロック片１１の短突片１１ａによって前記ロックピン嵌入溝１０ａ内に抜け出ないように保持される。
【００２８】
シャッターを開く場合には、解錠兼用開閉操作レバー６を上方側に押上げると、解錠兼用開閉操作レバー６の係合ピン２２の上昇に伴って、前記施錠揺動片１２の中継レバー部１２ｂが上方に押し上げられ、前記施錠揺動片１２がバネ板１３の付勢力に抗して反時計回りに揺動されロック片１１と離間することにより係合が解かれ、バネ板１３による付勢力によってロック片１１が解錠方向（反時計方向回り）に揺動し、ロックピン５ａがロックピン嵌入溝１０ａから解放され、そのままシャッターを連続して引き上げできるようになっている。
【００２９】
（その他の実施形態例）
（１）上記形態例では、上縁部を回転中心として揺動自在とされる解錠兼用開閉操作レバー６の例としたが、前記解錠兼用開閉操作レバー６は、上下方向にスライドさせるタイプであってもよい。具体的には、図８に示されるように、断面逆Ｌ字状の部材で、板面には縦方向に長い長孔２５ａ、２５ａ…が複数形成され、これら長孔２５ａ、２５ａ…を貫いて巾木２に植設された取付けボルト２８、２８…により、縦方向にスライド可能に支持された解錠兼用開閉操作レバー２５とすることでもよい。
【００３０】
（２）また、前記解錠兼用開閉操作レバー６は、上下方向にスライドさせるタイプであってもよい。具体的には、図９に示されるように、断面Ｌ字状の部材で、板面には水平方向に長い長孔２６ａ、２６ａ…が複数形成され、これら長孔２６ａ、２６ａを貫いて巾木２に植設された取付けボルト２７、２７により、水平方向にスライド可能に支持されるとともに、一方側端部にシャッター施錠装置本体３の中継レバー１２ｂの下側に係合する右上がりの傾斜辺２６ｂが形成され、他方側端部にも同じく、シャッター施錠装置本体３の中継レバー１２ｂの下側に係合する右上がりの傾斜辺２６ｃが形成された解錠兼用開閉操作レバー２６とすることでもよい。
【００３１】
（３）更に上記形態例は手動式シャッターの例であるが、電動式シャッターに対しても同様に適用できる。
【００３２】
【発明の効果】
以上詳説のとおり本発明によれば、施錠時および解錠時における前記中継レバーと係合ピンとの擦音を防止するとともに、長期間使用しても耐久性が低下せず、前記解錠兼用開閉操作レバーの操作性を維持することができる。
【図面の簡単な説明】
【図１】本発明に係るシャッター用施錠装置１の正面図である。
【図２】その断面図である。
【図３】シャッター施錠装置本体３の解錠時側面図である。
【図４】そのＩＶ−ＩＶ線矢視図である。
【図５】シャッター施錠装置本体３の施錠時側面図である。
【図６】接当用保護ピース２３の（Ａ）は側面図、（Ｂ）は背面図、（Ｃ）は正面図である。
【図７】中継レバー１２ｂへの接当用保護ピース２３取付要領図であり、（Ａ）は挿入中、（Ｂ）は挿入後の状態を示す図である。
【図８】解錠兼用開閉操作レバーの他の形態例を示す図である。
【図９】解錠兼用開閉操作レバーの他の形態例を示す図である。
【図１０】従来のシャッター施錠装置の正面図である。
【符号の説明】
１…シャッター用施錠装置、２…巾木、３…シャッター施錠装置本体、４…シャッター側枠、５…錠掛り、５ａ…ロックピン、６…解錠兼用開閉操作レバー、１０…ケース、１１…ロック片、１２…施錠揺動片、１２ｂ…中継レバー、１２ｄ…切欠き溝、１３…バネ板、２２…係合ピン、２３…接当用保護ピース、２３ｆ…抜止め係止部
【図１】
2004211447.tif 000003
【図２】
2004211447.tif 000004
【図３】
2004211447.tif 000005
【図４】
2004211447.tif 000006
【図５】
2004211447.tif 000007
【図６】
2004211447.tif 000008
【図７】
2004211447.tif 000009
【図８】
2004211447.tif 000010
【図９】
2004211447.tif 000011
【図１０】
2004211447.tif 000012